(57)【要約】【課題】全閉状態における外観品質を向上させた遊技機用シャッター装置を提供する。【解決手段】  遊技機用シャッター装置１は、遮蔽板１０をガイドするガイド板２１２を備える。ガイド板２１２は、左右方向にずれるように配置された第１ガイド部２１２ａ及び第２ガイド部２１２ｂを有する。第１ガイド部２１２ａは、上下方向に直線状に延びる直線部ＳＬ２１２、及び第１直線部Ｓａ２１２の下端部から下方且つ後方（又は前方）へ向かって斜めに延びる傾斜部Ｓｂ２１２を有するスリットＳ２１２Ｕを有する。第２ガイド部２１２ｂは、スリットＳ２１２Ｕから見て下方にずれるように配置された溝部ＧＵ２１２Ｍであって、上下方向に直線状に延びる直線部Ｇａ２１２、及び直線部Ｇa２１２Ｍの下端部から下方且つ後方（又は前方）へ向かって斜めに延びる傾斜部Ｇｂ２１２Ｍを有する溝部ＧＵ２１２Ｍを備える。遮蔽板１０の凸部ＰＬａ１１１が、スリットＳＵ２12にガイドされ、凸部ＰＬｂ１１１が、溝部ＧＵ２１２Ｍにガイドされる。【選択図】図１１
2020141969.tif 000002
【特許請求の範囲】
【請求項１】
遊技者に対面配置された板状部に平行な遮蔽板と、
前記遮蔽板を、前記板状部の前面に平行な第１方向へスライドさせるアクチュエータと、
前記遮蔽板の端部であって、前記第１方向に垂直且つ前記板状部の前面に平行な第２方向における端部に摺接して、前記遮蔽板の前記第１方向への移動をガイドするガイド部材と、を備えた遊技機用シャッター装置であって、
前記遮蔽板の前記端部から前記第２方向へそれぞれ突出し、且つ前記第１方向に離間した第１凸部及び第２凸部を備え、
前記第１凸部の突出高さが前記第２凸部より小さく設定され、
前記ガイド部材は、前記第２方向にずれるように配置された第１ガイド部及び第２ガイド部であって、前記遮蔽板の前記端部から前記第２方向に離間した第１ガイド部と、前記第１ガイド部と前記遮蔽板の前記端部との間に配置された第２ガイド部と、を有し、
前記第１ガイド部は、前記第１方向に直線状に延びる第１直線部、及び前記第１直線部の端部から前記第１方向且つ前方又は後方へ向かって斜めに延びる第１傾斜部を有する第１溝部を備え、
前記第２ガイド部は、前記第１溝部から見て前記第１方向にずれるように配置された第２溝部であって、前記第１方向に直線状に延びる第２直線部、及び前記第２直線部の端部から前記第１方向且つ前方又は後方へ向かって斜めに延びる第２傾斜部を有する第２溝部を備え、
前記第１傾斜部の延設方向と前記第２傾斜部の延設方向とが平行であり、且つ前記第１傾斜部と前記第２傾斜部との前記第１方向における距離が、前記第１凸部と前記第２凸部との距離と同一であり、
前記第１凸部が、前記第１ガイド部の前記第１溝部にガイドされ、
前記第２凸部が、前記第２溝部にガイドされる、
遊技機用シャッター装置。
【請求項２】
請求項１に記載の遊技機用シャッター装置において、
前記板状部を前記第１方向へ移動させるアクチュエータをさらに備えた、
遊技機用シャッター装置。
【発明の詳細な説明】
【技術分野】
【０００１】
本発明は、遊技機用シャッター装置に関する。
【背景技術】
【０００２】
例えば、下記特許文献１に記載されているように、遊技機の表示装置の表示面を覆い隠す遊技機用シャッター装置は知られている。この遊技機用シャッター装置は、上下方向に延びる略長方形の複数の遮蔽板を備える。各遮蔽板は、その板厚方向が遊技盤に対して垂直な状態を維持しつつ、左右方向にスライド可能である。これらの遮蔽板が、表示装置の側方（左方及び右方）且つ少し前方（遊技者側）にて、前後方向（遊技盤の板厚方向）に重ねられている（全開状態）。各遮蔽板が、左右方向へスライドされて、表示装置を覆い隠すように並べられる（全閉状態）。
【先行技術文献】
【特許文献】
【０００３】
【特許文献１】特許４３１３３４９号公報
【発明の概要】
【０００４】
特許文献１のシャッター装置において、各遮蔽板は、左右方向にスライドするだけである。したがって、全閉状態（表示装置を覆い隠すように各遮蔽板が並べられた状態）では、隣り合う遮蔽板の境界部において、前後方向に段差が生じており、全閉状態における遊技機用シャッター装置の外観品質が低い。
【０００５】
本発明の目的は、全閉状態における外観品質を向上させた遊技機用シャッター装置を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明に係る遊技機用シャッター装置（１）は、遊技者に対面配置された板状部（１２１、１２２、ＰＢ）に平行な遮蔽板（１１１、１１２）と、前記遮蔽板を、前記板状部の前面に平行な第１方向へスライドさせるアクチュエータ（２１３、２３）と、前記遮蔽板の端部であって、前記第１方向に垂直且つ前記板状部の前面に平行な第２方向における端部に摺接して、前記遮蔽板の前記第１方向への移動をガイドするガイド部材（２１２）と、を備えた遊技機用シャッター装置であって、前記遮蔽板の前記端部から前記第２方向へそれぞれ突出し、且つ前記第１方向に離間した第１凸部（ＰＬａ１１１、ＰＲａ１１１、ＰＬａ１１２、ＰＲａ１１２）及び第２凸部（ＰＬｂ１１１、ＰＲｂ１１１、ＰＬｂ１１２、ＰＲｂ１１２）を備え、前記第１凸部の突出高さが前記第２凸部より小さく設定され、前記ガイド部材は、前記第２方向にずれるように配置された第１ガイド部（２１２ａ）及び第２ガイド部（２１２ｂ）であって、前記遮蔽板の前記端部から前記第２方向に離間した第１ガイド部と、前記第１ガイド部と前記遮蔽板の前記端部との間に配置された第２ガイド部と、を有し、前記第１ガイド部は、前記第１方向に直線状に延びる第１直線部（Ｓａ２１２）、及び前記第１直線部の端部から前記第１方向且つ前方又は後方へ向かって斜めに延びる第１傾斜部（Ｓｂ２１２）を有する第１溝部（Ｓ２１２Ｕ、Ｓ２１２Ｄ）を備え、前記第２ガイド部は、前記第１溝部から見て前記第１方向にずれるように配置された第２溝部（ＧＵ２１２Ｍ、ＧＤ２１２Ｍ）であって、前記第１方向に直線状に延びる第２直線部（Ｇａ２１２）、及び前記第２直線部の端部から前記第１方向且つ前方又は後方へ向かって斜めに延びる第２傾斜部（Ｇｂ２１２Ｍ）を有する第２溝部を備え、前記第１傾斜部の延設方向と前記第２傾斜部の延設方向とが平行であり、且つ前記第１傾斜部と前記第２傾斜部との前記第１方向における距離が、前記第１凸部と前記第２凸部との距離と同一であり、前記第１凸部が、前記第１ガイド部の前記第１溝部にガイドされ、前記第２凸部が、前記第２溝部にガイドされる。
【０００７】
本発明に係る遊技機用シャッター装置において、遮蔽板が第１ガイド部及び第２ガイド部にガイドされている。つまり、遮蔽板は、第１ガイド部及び第２ガイド部に沿って第１方向へ移動する。これによれば、例えば、遮蔽板が板状部の前方（遊技者側）に重ねられるように配置された状態（全開状態）から、遮蔽板を、第１ガイド部及び第２ガイド部の直線部に沿って移動させた後、第１ガイド部及び第２ガイド部の傾斜部に沿って後方へ移動させることができる。また、例えば、遮蔽板が、板状部の後方（遊技者とは反対側）に重ねられるように配置された状態から第１ガイド部及び第２ガイド部の直線部に沿って移動させた後、第１ガイド部及び第２ガイド部の傾斜部に沿って後方へ移動させることができる。これにより、板状部と遮蔽板が第１方向に並べられ、且つ板状部の前面と遮蔽板の前面とが同一平面内に位置する状態（全閉状態）を実現できる。よって、本発明によれば、全閉状態における遊技機用シャッター装置の外観品質を向上させることができる。
【０００８】
また、第１ガイド部及び第２ガイド部が、第１方向及び第２方向（板状部に平行な方向）にずれて設けられ、前後方向にはずれていない。これによれば、第１ガイド部及び第２ガイド部を前後方向にずらして設けた場合に比べて、遊技機用シャッター装置を小型化（薄型化）できる。
【０００９】
さらに、本発明によれば、遮蔽板を第１方向に移動させるアクチュエータと前後方向に移動させるアクチュエータとを別々に設けた場合に比べて、装置全体としての構成を簡略化できる。
【００１０】
さらに、本発明の遊技機用シャッター装置の一態様において、前記所定の板状部を前記第１方向へ移動させるアクチュエータをさらに備える。
【００１１】
これによれば、全閉状態において、遮蔽板と板状部との間の空隙を減少させることができる。よって、全閉状態における遊技機用シャッター装置の外観品質をさらに向上させることができる。
【図面の簡単な説明】
【００１２】
【図１】本発明の一実施形態に係る遊技機用シャッター装置が適用されたパチンコ機の分解斜視図である。
【図２】全開状態における遊技機用シャッター装置の斜視図である。
【図３】全閉状態における遊技機用シャッター装置の斜視図である。
【図４】第１遮蔽板の正面図である。
【図５】第２遮蔽板の正面図である。
【図６】左側の直動装置の分解斜視図である。
【図７】図６に示したガイド板を斜め後方から見た斜視図である。
【図８】図６に示したガイド板の右側面図である。
【図９】図６に示した前側直動機構の分解斜視図である。
【図１０】図６に示した後側直動機構の分解斜視図である。
【図１１】第１遮蔽板、ガイド板及び前側直動機構の係合を示す分解斜視図である。
【図１２】第１遮蔽板、ガイド板及び前側直動機構の係合を示す断面図である。
【図１３】全閉状態における第１遮蔽板及び第２遮蔽板の位置関係を示す側面図である。
【図１４】全開状態から全閉状態に至る途中の状態における第１遮蔽板及び第２遮蔽板の位置関係を示す側面図である。
【図１５】全開状態における第１遮蔽板及び第２遮蔽板の位置関係を示す側面図である。
【発明を実施するための形態】
【００１３】
本発明の一実施形態に係る遊技機用シャッター装置１について説明する。まず、遊技機用シャッター装置１が適用される遊技機としてのパチンコ機ＰＭの概略について説明しておく。パチンコ機ＰＭは、図１に示すように、鉛直方向に延びる略直方体状の装置である。以下の説明において、パチンコ機ＰＭの高さ方向（鉛直方向）を上下方向と呼ぶ。また、パチンコ機ＰＭの幅方向を左右方向と呼び、パチンコ機ＰＭの奥行き方向を前後方向と呼ぶ。
【００１４】
パチンコ機ＰＭは、同図に示すように、遊技盤ＰＢ、遊技球発射装置ＢＳなどを備える。遊技盤ＰＢは、上下方向に延びる略長方形の板状部材である。遊技盤ＰＢは、遊技者に対向するように配置されている。すなわち、遊技盤ＰＢの板厚方向が前後方向に一致している。遊技球発射装置ＢＳは、遊技盤ＰＢの下方に配置されている。遊技球発射装置ＢＳは、図示しない遊技球を１球ずつ遊技盤ＰＢへ向けて発射する。
【００１５】
遊技盤ＰＢの略中央部に開口部ＯＰが設けられている。開口部ＯＰの後方には、表示装置ＤＤ及び遊技機用シャッター装置１が組み付けられたケースＣＡが配置されている。ケースＣＡは前方（遊技者側）へ開放された箱状部材である。ケースＣＡの中央部に表示装置ＤＤが配置されている。表示装置ＤＤとして、液晶ディスプレイ、有機ＥＬディスプレイなどが用いられる。表示装置ＤＤは、図示しない制御装置に接続されており、制御装置から供給された制御信号に従って画像を表示する。開口部ＯＰの周縁部には枠状の縁飾りＥＰが取り付けられている（図１参照）。
【００１６】
遊技機用シャッター装置１は、詳しくは後述するように、左右方向に延びる遮蔽板１０を、直動装置２０を用いて昇降させる（図２及び図３参照）。これにより、表示装置ＤＤの表示面を視認可能な状態と視認不能な状態とを切り替える。
【００１７】
遮蔽板１０は、上下一対の第１遮蔽板１１１，１１２及び上下一対の第２遮蔽板１２１，１２２から構成される。第１遮蔽板１１１と第１遮蔽板１１２とは、上下対称である。また、第２遮蔽板１２１と第２遮蔽板１２２とは、上下対称である。そこで、以下、第１遮蔽板１１１及び第２遮蔽板１２１の構成について説明し、第１遮蔽板１１２及び第２遮蔽板１２２の構成についての説明を省略する。
【００１８】
第１遮蔽板１１１は、図４に示すように、左右方向に延びる略長方形の板状部材である。第１遮蔽板１１１は、その板厚方向が前後方向に一致するように配置されている。第１遮蔽板１１１の下半部の左右方向の寸法が、上半部の左右方向の寸法より少し小さい。すなわち、第１遮蔽板１１１の左端面ＳＬ１１１の上半部ＳＬａ１１１と下半部ＳＬｂ１１１との境界部、及び第１遮蔽板１１１の右端面ＳＲ１１１の上半部ＳＲａ１１１と下半部ＳＲｂ１１１との境界部に段差がそれぞれ設けられている。
【００１９】
上半部ＳＬａ１１１及び下半部ＳＬｂ１１１には、左方へ延びる凸部ＰＬａ１１１及び凸部ＰＬｂ１１１がそれぞれ設けられている。凸部ＰＬａ１１１及び凸部ＰＬｂ１１１の延設方向に垂直な断面は円形を呈する。凸部ＰＬａ１１１及び凸部ＰＬｂ１１１の外径は、同一である。凸部ＰＬｂ１１１は、凸部ＰＬａ１１１の下方に位置している。左端面ＳＬ１１１の上半部ＳＬａ１１１と凸部ＰＬｂ１１１の先端面（左端面）とが、同一平面内に位置している。すなわち、下半部ＳＬｂ１１１を基準とすると、凸部ＰＬａ１１１の左方への突出高さが、凸部ＰＬｂ１１１の左方への突出高さより大きい。上半部ＳＲａ１１１及び下半部ＳＲｂ１１１には、凸部ＰＬａ１１１及び凸部ＰＬｂ１１１と同様の凸部ＰＲａ１１１及び凸部ＰＲｂ１１１がそれぞれ設けられている。第１遮蔽板１１２も、第１遮蔽板１１１と同様の板状部材であり、凸部ＰＬａ１１１及び凸部ＰＬｂ１１１並びに凸部ＰＲａ１１１及び凸部ＰＲｂ１１１と同様の凸部ＰＬａ１１２及び凸部ＰＬｂ１１２並びに凸部ＰＲａ１１２及び凸部ＰＲｂ１１２を備える（図１１参照）。
【００２０】
第２遮蔽板１２１は、図５に示すように、左右方向に延びる長方形の板状部材である。第２遮蔽板１２１は、その板厚方向が前後方向に一致するように配置されている。
【００２１】
直動装置２０は、直動装置２０Ｌ，２０Ｒから構成されている。直動装置２０Ｌと直動装置２０Ｒとは左右対称である。そこで、以下、直動装置２０Ｌの構成について説明し、直動装置２０Ｒの説明を省略する。
【００２２】
直動装置２０Ｌは、図６に示すように、前側直動機構２１、後側直動機構２２及び電動モーター２３を備える。
【００２３】
前側直動機構２１は、支持板２１１、ガイド板２１２、スライド機構２１３及び前蓋２１４を備える。支持板２１１は、基板部２１１ａ及び周壁部２１１ｂを備える。基板部２１１ａは、上下方向に延びる略長方形の平板部である。基板部２１１ａの板厚方向が前後方向に一致している。周壁部２１１ｂは、基板部２１１ａの前面における上辺、下辺及び左辺に沿うように延設されている。周壁部２１１ｂは、基板部２１１ａに対して垂直である。基板部２１１ａの前面には、上下方向に延びるリブＲ２１１ａが設けられている。リブＲ２１１ａは、基板部２１１ａの幅方向（左右方向）における中央部に配置されている。リブＲ２１１ａは、基板部２１１ａの上端部から、基板部２１１ａの上下方向における中央部に亘り、上下方向に直線状に延設されている。また、基板部２１１ａの中央部であって、リブＲ２１１ａの少し下方に位置する部分に、前後方向に貫通する貫通孔ＴＨ２１１ａが形成されている。さらに、基板部２１１ａの右端面には、次に説明するガイド板２１２を支持するガイド板支持部２１１ｃ，２１１ｄ，２１１ｅが設けられている。ガイド板支持部２１１ｃ，２１１ｄ，２１１ｅは、基板部２１１ａの右端面の上下方向における上端部、下端部及び中央部から右方へ突出している。
【００２４】
ガイド板２１２は、上下方向に延びる略長方形の板状部材である。ガイド板２１２は、その板厚方向が左右方向に一致するように配置されている。ガイド板２１２は、支持板２１１のガイド板支持部２１１ｃ，２１１ｄ，２１１ｅに固定されている。
【００２５】
ガイド板２１２は、第１ガイド部２１２ａと第２ガイド部２１２ｂからなる。第１ガイド部２１２ａは、上下方向に延びる板状部である。第２ガイド部２１２ｂは、第１ガイド部２１２ａの右面に形成されている。
【００２６】
第２ガイド部２１２ｂは、第１ガイド部２１２ａの上下方向における中間部に配置された、第１ガイド部２１２ａに対して平行な板状の基部２１２Ｍ、基部２１２Ｍの前端から上方及び下方にそれぞれ延びる前縁部２１２ＵＦ及び前縁部２１２ＤＦを有する。言い換えれば、基部２１２Ｍ、前縁部２１２ＵＦ及び前縁部２１２ＤＦは、第１ガイド部２１２ａから見て右方へ突出している。第１ガイド部２１２ａと第２ガイド部２１２ｂとが一体的に形成されている。第１ガイド部２１２ａ及び第２ガイド部２１２ｂは、中実状ではなく、左方へ開口された中空状であって、その内部に複数のリブＲ２１２を有する（図７参照）。
【００２７】
第１ガイド部２１２ａの部分であって、ガイド板２１２の右方から見て露出している部分（第２ガイド部２１２ｂによって覆われていない部分）のうちの上部２１２Ｕ及び下部２１２ＤにスリットＳ２１２Ｕ及びスリットＳ２１２Ｄがそれぞれ形成されている（図８参照）。スリットＳ２１２ＵとスリットＳ２１２Ｄとは、上下対称である。そこで、以下、スリットＳ２１２Ｕの構成について説明し、スリットＳ２１２Ｄとの説明を省略する。スリットＳ２１２Ｕは、上下方向に直線状に延びる直線部Ｓａ２１２と、直線部Ｓａ２１２の下端部から下方且つ後方へ斜めに延びる傾斜部Ｓｂ２１２とからなる。スリットＳ２１２Ｕの幅は、凸部ＰＬａ１１１の外径より僅かに大きい。
【００２８】
基部２１２Ｍには、その上端から下方へ入り込む溝部ＧＵ２１２Ｍ、及びその下端から上方へ入り込む溝部ＧＤ２１２Ｍが形成されている。溝部ＧＵ２１２Ｍと溝部ＧＤ２１２Ｍとは、上下対称である。そこで、以下、溝部ＧＵ２１２Ｍの構成について説明し、溝部ＧＤ２１２Ｍの説明を省略する。溝部ＧＵ２１２Ｍは、上下方向に直線状に延びる直線部Ｇａ２１２と直線部Ｇａ２１２の下端部から下方かつ後方へ斜めに延びる傾斜部Ｇｂ２１２とからなる。溝部ＧＵ２１２Ｍの幅は、凸部ＰＬｂ１２１の外径より僅かに大きい。直線部Ｇａ２１２は、スリットＳ２１２Ｕの直線部Ｓａ２１２の下方に配置されている。傾斜部Ｇｂ２１２は、スリットＳ２１２Ｕの傾斜部Ｓｂ２１２の下方に配置されている。傾斜部Ｇｂ２１２は、傾斜部Ｓｂ２１２に対して平行である。傾斜部Ｇｂ２１２とスリットＳ２１２Ｕの傾斜部Ｓｂ２１２との距離は、凸部ＰＬｂ１１１と凸部ＰＬａ１１１との距離と同一である。
【００２９】
スライド機構２１３は、図９に示すように、基板部２１１ａの前方に配置されている。スライド機構２１３は、ラック２１３ａ及びピニオンギヤ２１３ｂ、並びにラック２１３ｃ及びピニオンギヤ２１３ｄを備える。ラック２１３ａは、支持板部ＳＰ２１３ａ及び歯部ＴＰ２１３ａを備える。支持板部ＳＰ２１３ａは、略長方形の平板部である。支持板部ＳＰ２１３ａの板厚方向が前後方向に一致している。支持板部ＳＰ２１３ａは、突出部ＰＰ２１３ａを備える。突出部ＰＰ２１３ａは、支持板部ＳＰ２１３ａの右上の角部から後方へ突出している。突出部ＰＰ２１３ａには、右方へ開放され、前後方向に延びる溝部ＧＰ２１３ａが形成されている。歯部ＴＰ２１３ａは、支持板部ＳＰ２１３ａの右下の角部から下方へ延設されている。歯部ＴＰ２１３ａは、支持板部ＳＰ２１３ａに平行な長細い板状部であり、その左端面に、複数の歯Ｔ２１３ａが形成されている。これらの歯Ｔ２１３ａは、上下方向に並べられている。これらの歯Ｔ２１３ａは、ピニオンギヤ２１３ｂに噛み合う。ピニオンギヤ２１３ｂは、平歯車である。
【００３０】
ラック２１３ｃは、支持板部ＳＰ２１３ｃ及び歯部ＴＰ２１３ｃを備える。支持板部ＳＰ２１３ｃは、略長方形の平板部である。支持板部ＳＰ２１３ｃの板厚方向が前後方向に一致している。支持板部ＳＰ２１３ｃは、突出部ＰＰ２１３ｃを備える。突出部ＰＰ２１３ｃは、支持板部ＳＰ２１３ｃの右下の角部から後方へ突出している。突出部ＰＰ２１３ｃには、右方へ開放され、前後方向に延びる溝部ＧＰ２１３ｃが形成されている。歯部ＴＰ２１３ｃは、支持板部ＳＰ２１３ｃの左上の角部から上方へ延設されている。歯部ＴＰ２１３ｃは、支持板部ＳＰ２１３ｃに平行な長細い板状部であり、その右端面に、複数の歯Ｔ２１３ｃが形成されている。これらの歯Ｔ２１３ｃは、上下方向に並べられている。これらの歯Ｔ２１３ｃは、ピニオンギヤ２１３ｄに噛み合う。ピニオンギヤ２１３ｄは、平歯車である。ピニオンギヤ２１３ｄの直径は、ピニオンギヤ２１３ｂの直径より少し小さい。ピニオンギヤ２１３ｄは、ピニオンギヤ２１３ｂの後面に設けられている。
【００３１】
前蓋２１４は、上下方向に延びる長方形の板状部材である（図６参照）。前蓋２１４は、支持板２１１の前面に取り付けられる。
【００３２】
後側直動機構２２は、支持板２１１の後面に取り付けられている。後側直動機構２２は、支持板２２１、ガイドシャフト２２２及びスライド機構２２３を備える。
【００３３】
支持板２２１は、基板部２２１ａ及び周壁部２２１ｂを備える。基板部２２１ａは、上下方向に延びる略長方形の平板部である。基板部２２１ａの板厚方向が前後方向に一致している。周壁部２２１ｂは、基板部２２１ａの前面における上辺、下辺及び左辺に沿うように延設されている。周壁部２２１ｂは、基板部２２１ａに対して垂直である。また、基板部２２１ａの中央部に、前後方向に貫通する貫通孔ＴＨ２２１ａが形成されている。また、基板部２２１ａには、次に説明するガイドシャフト２２２を支持するガイドシャフト支持部ＳＰａ２２１ａ，ＳＰｂ２２１ａ，ＳＰｃ２２１ａが形成されている。これらのガイドシャフト支持部ＳＰａ２２１ａ，ＳＰｂ２２１ａ，ＳＰｃ２２１ａは、基板部２２１ａの幅方向（左右方向）における中央部にて、上下方向に離間している。すなわち、ガイドシャフト支持部ＳＰａ２２１ａが、基板部２２１ａの上端部に形成されている。ガイドシャフト支持部ＳＰｂ２２１ａが、基板部２２１ａの下端部に形成されているガイドシャフト支持部ＳＰｃ２２１ａが、基板部２２１ａの上下方向における中央部に形成されている
【００３４】
ガイドシャフト２２２は、上下方向に延びる丸棒である。ガイドシャフト２２２の上端部、下端部及び中央部が、ガイドシャフト支持部ＳＰａ２２１ａ，ＳＰｂ２２１ａ，ＳＰｃ２２１ａにそれぞれ支持されている。
【００３５】
スライド機構２２３は、基板部２２１ａと基板部２１１ａとの間に配置されている。スライド機構２２３は、図１０に示すように、ラック２２３ａ及びピニオンギヤ２２３ｂ、並びにラック２２３ｃ及びピニオンギヤ２２３ｄを備える。ラック２２３ａは、支持板部ＳＰ２２３ａ及び歯部ＴＰ２２３ａを備える。支持板部ＳＰ２２３ａは、上下方向に延びる略長方形の平板部である。支持板部ＳＰ２２３ａの板厚方向が前後方向に一致している。支持板部ＳＰ２２３ａには、タブ板部ＢＰ２２３ａが形成されている。タブ板部ＢＰ２２３ａは、支持板部ＳＰ２２３ａの右端面における上部から右方へ突出している。タブ板部ＢＰ２２３ａは、上下方向に延びる長方形の板状部である。タブ板部ＢＰ２２３ａの板厚方向が前後方向に一致している。さらに、支持板部ＳＰ２２３ａには、筒状部ＣＰ２２３ａが形成されている。筒状部ＣＰ２２３ａは、支持板部ＳＰ２２３ａの前面における左縁部にて、上下方向に延設されている。筒状部ＣＰ２２３ａの内径は、ガイドシャフト２２２の外径と略同一である。歯部ＴＰ２２３ａは、筒状部ＣＰ２２３ａの左面に設けられている。歯部ＴＰ２２３ａは、複数の歯Ｔ２２３ａからなる。これらの歯Ｔ２２３ａは、上下方向に並べられている。これらの歯Ｔ２２３ａは、ピニオンギヤ２２３ｂに噛み合う。ピニオンギヤ２２３ｂは、平歯車である。ピニオンギヤ２２３ｂの直径は、ピニオンギヤ２２３ｄの直径より小さい。
【００３６】
ラック２２３ｃは、支持板部ＳＰ２２３ｃ及び歯部ＴＰ２２３ｃを備える。支持板部ＳＰ２２３ｃは、上下方向に延びる略長方形の平板部である。支持板部ＳＰ２２３ｃの板厚方向が前後方向に一致している。支持板部ＳＰ２２３ｃの板厚方向が前後方向に一致している。支持板部ＳＰ２２３ｃには、タブ板部ＢＰ２２３ｃが形成されている。タブ板部ＢＰ２２３ｃは、支持板部ＳＰ２２３ｃの右端面の下部から右方へ突出している。タブ板部ＢＰ２２３ｃは、上下方向に延びる長方形の板状部である。タブ板部ＢＰ２２３ｃの板厚方向が前後方向に一致している。さらに、支持板部ＳＰ２２３ｃには、筒状部ＣＰ２２３ｃが形成されている。筒状部ＣＰ２２３ｃは、支持板部ＳＰ２２３ｃの前面における左縁部にて、上下方向に延設されている。筒状部ＣＰ２２３ｃの内径は、ガイドシャフト２２２の外径と略同一である。さらに、筒状部ＣＰ２２３ｃには、アーム部ＡＰ２２３ｃが形成されている。アーム部ＡＰ２２３ｃは、左右方向に延びる略矩形の板状部である。アーム部ＡＰ２２３ｃの板厚方向が前後方向に一致している。歯部ＴＰ２２３ｃは、アーム部ＡＰ２２３ｃの左上の角部から上方へ延設されている。歯部ＴＰ２２３ｃは、アーム部ＡＰ２２３ｃの平行な長細い板状部であり、その右端面に、複数の歯Ｔ２２３ｃが形成されている。これらの歯Ｔ２２３ｃは、上下方向に並べられている。これらの歯Ｔ２２３ｃは、ピニオンギヤ２２３ｄに噛み合う。ピニオンギヤ２２３ｄは、平歯車である。ピニオンギヤ２２３ｄの直径は、ピニオンギヤ２２３ｂの直径より少し小さい。ピニオンギヤ２２３ｄは、ピニオンギヤ２２３ｂの後面に設けられている。
【００３７】
電動モーター２３は、ステッピングモーター及び減速装置を備える。
【００３８】
ラック２１３ａは、支持板２１１の前面における右上部に配置されている(図６参照)。ラック２１３ｃは、支持板２１１の前面における左下部に配置されている。ピニオンギヤ２１３ｂ、ピニオンギヤ２１３ｄ及び貫通孔ＴＨ２１１ａが同軸配置されている。ピニオンギヤ２１３ｄは、ピニオンギヤ２１３ｂと基板部２１１ａとの間に配置されている。ラック２１３ａの歯Ｔ２１３ａが、ピニオンギヤ２１３ｂに噛み合わせられ、ラック２１３ｃの歯Ｔ２１３ｃが、ピニオンギヤ２１３ｄに噛み合わせられている。そして、前蓋２１４が、支持板２１１の前面側に取り付けられている。前蓋２１４が支持板２１１に取り付けられた状態では、基板部２１１ａの前面と前蓋２１４の後面との間に空間が形成される。この空間にスライド機構２１３が収容されている。つまり、基板部２１１ａ及び前蓋２１４により、スライド機構２１３の前後方向への移動が規制されている。なお、突出部ＰＰ２１３ａ及び突出部ＰＰ２１３ｃは、支持板２１１のガイド板支持部２１１ｃの上方及び下方にて上下方向にそれぞれ延びる空間を通って後方へ突出している。支持板２１１の上下方向における中央部から突出部ＰＰ２１３ａまでの上下方向の距離と、支持板２１１の上下方向における中央部から突出部ＰＰ２１３ｃまでの上下方向の距離とが同一である。
【００３９】
ラック２２３ａは、支持板２２１の前面における右上部に配置されている。筒状部ＣＰ２２３ａがガイドシャフト２２２の上半部（ガイドシャフト支持部ＳＰａ２２１ａとガイドシャフト支持部ＳＰｃ２２１ａの間）に嵌め込まれている。ラック２２３ｃが、支持板２２１の前面における左下部に配置されている。筒状部ＣＰ２２３ｃがガイドシャフト２２２の下半部（ガイドシャフト支持部ＳＰｂ２２１ａとガイドシャフト支持部ＳＰｃ２２１ａの間）に嵌め込まれている。ピニオンギヤ２２３ｂ、ピニオンギヤ２２３ｄ及び貫通孔ＴＨ２２１ａが同軸配置されている。ピニオンギヤ２２３ｄは、ピニオンギヤ２２３ｂと基板部２２１ａとの間に配置されている。ラック２２３ａの歯Ｔ２２３ａが、ピニオンギヤ２２３ｂに噛み合わせられ、ラック２２３ｃの歯Ｔ２２３ｃが、ピニオンギヤ２２３ｄに噛み合わせられている。上記のように構成された後側直動機構２２が、前側直動機構２１の後側に取り付けられている。すなわち、スライド機構２２３が、基板部２１１ａと基板部２２１ａとの間の空間に収容されている。直動装置２０Ｌにおいて、貫通孔ＴＨ２２１ａ、ピニオンギヤ２２３ｄ、ピニオンギヤ２２３ｂ、貫通孔ＴＨ２１１ａ、ピニオンギヤ２１３ｄ、及びピニオンギヤ２１３ｂが同軸配置されている。支持板２２１の上下方向における中央部からタブ板部ＢＰ２２３ａの下端までの上下方向の距離と、支持板２２１の上下方向における中央部からタブ板部ＢＰ２２３ｃの上端までの上下方向の距離とが略同一である。
【００４０】
電動モーター２３の出力軸が、直動装置２０Ｌの後方から貫通孔ＴＨ２２１ａ、ピニオンギヤ２２３ｄ、ピニオンギヤ２２３ｂ、貫通孔ＴＨ２１１ａ、ピニオンギヤ２１３ｄ、及びピニオンギヤ２１３ｂに挿入されている。
【００４１】
電動モーター２３によって、ピニオンギヤ２１３ｂ，２１３ｄ，２２３ｂ，２２３ｄが一体的に回転（正転又は逆転）駆動されることにより、ラック２１３ａ及びラック２１３ｃが、互いに反対方向へ移動する。その際、ラック２１３ａの支持板部ＳＰ２１３ａの左端面と基板部２１１ａのリブＲ２１１ａの右面とが摺接するとともに、ラック２１３ａの右面とガイド板２１２の左面とが摺接する。すなわち、ラック２１３ａは、基板部２１１ａ及びガイド板２１２によってガイドされて上下方向に移動する。一方、ラック２１３ｃの支持板部ＳＰ２１３ｃの右端面とガイド板２１２の左面とが摺接するとともに、ラック２１３ｃの歯Ｔ２１３ｃの左端面と支持板２１１の周壁部２１１ｂとが摺接する。すなわち、ラック２１３ｃは、周壁部２１１ｂ及びガイド板２１２によってガイドされて上下方向に移動する。一方、ラック２２３ａ及びラック２２３ｃは、ガイドシャフト２２２によってガイドされて上下方向に移動する。
【００４２】
図１１に示すように、直動装置２０Ｌ，２０Ｒの右方及び左方から、スリットＳ２１２Ｕ，Ｓ２１２Ｕに、第１遮蔽板１１１の凸部ＰＬａ１１１，ＰＲａ１１１がそれぞれ挿入されている。そして、直動装置２０Ｌ，２０Ｒの溝部ＧＰ２１３ａ，ＧＰ２１３ａに、凸部ＰＬａ１１１,ＰＲａ１１１の先端部がそれぞれ収容されて支持されている。さらに、直動装置２０Ｌ，２０Ｒの右方及び左方から、スリットＳ２１２Ｄ，Ｓ２１２Ｄに、第１遮蔽板１１２の凸部ＰＬａ１１２,ＰＲａ１１２がそれぞれ挿入されている。そして、直動装置２０Ｌ，２０Ｒの溝部ＧＰ２１３ｃ，ＧＰ２１３ｃに、凸部ＰＬａ１１２,ＰＲａ１１２の先端部がそれぞれ収容されて支持されている。
【００４３】
直動装置２０Ｌ，２０Ｒのタブ板部ＢＰ２１３ａ，ＢＰ２１３ａの前面に、第２遮蔽板１２１の後面における左右の端部が固定されている。直動装置２０Ｌ，２０Ｒのタブ板部ＢＰ２１３ｃ，ＢＰ２１３ｃの前面に、第２遮蔽板１２２の後面における左右の端部が固定されている。
【００４４】
つぎに、遊技機用シャッター装置１の遮蔽板１０の開閉動作について説明する。例えば、遊技中の通常状態では、遊技機用シャッター装置１が下記のような全開状態（図２及び図１３参照）に設定される。
・直動装置２０Ｌ，２０Ｒのラック２１３ａ，２１３ａが、それらの可動範囲の上端に配置されることにより、第１遮蔽板１１１が、その可動範囲の上端に配置される。
・直動装置２０Ｌ，２０Ｒのラック２１３ｃ，２１３ｃが、それらの可動範囲の下端に配置されることにより、第１遮蔽板１１２が、その可動範囲の下端に配置される。
・直動装置２０Ｌ，２０Ｒのラック２２３ａ，２２３ａが、それらの可動範囲の上端に配置されることにより、第２遮蔽板１２１が、その可動範囲の上端に配置される。
・直動装置２０Ｌ，２０Ｒのラック２２３ｃ，２２３ｃが、それらの可動範囲の下端に配置されることにより、第２遮蔽板１２２が、その可動範囲の下端に配置される。
【００４５】
全開状態では、第２遮蔽板１２１，１２２の前方に第１遮蔽板１１１，１１２が配置されている。第１遮蔽板１１１及び第２遮蔽板１２１は、表示装置ＤＤの上端より少し上方に位置し、第１遮蔽板１１２及び第２遮蔽板１２２は、表示装置ＤＤの下端より少し下方に位置している。すなわち、表示装置ＤＤの表示面の全面を前方から視認可能である。
【００４６】
なお、全開状態では、凸部ＰＬａ１１１，ＰＲａ１１１は、スリットＳ２１２Ｕ，Ｓ２１２Ｕの直線部Ｓａ２１２，Ｓａ２１２の上端部に挿入され、それらの先端部は、ガイド板２１２の外側へ突出して、溝部ＧＰ２１３ａ，ＧＰ２１３ａの前端部に入り込んでいる（図１２参照）。また、凸部ＰＬｂ１１１，ＰＲｂ１１１は、スリットＳ２１２Ｕ，Ｓ２１２Ｕには入り込んでおらず、直線部Ｓａ２１２，Ｓａ２１２の右方及び左方にそれぞれ位置している。凸部ＰＬａ１１２，ＰＲａ１１２は、スリットＳ２１２Ｄ，Ｓ２１２Ｄの直線部Ｓａ２１２，Ｓａ２１２の上端部に挿入され、それらの先端部は、ガイド板２１２の外側へ突出して、溝部ＧＰ２１３ｃ，ＧＰ２１３ｃの前端部に入り込んでいる。また、凸部ＰＬｂ１１２，ＰＲｂ１１２は、スリットＳ２１２Ｄ，Ｓ２１２Ｄには入り込んでおらず、直線部Ｓａ２１２，Ｓａ２１２の右方及び左方にそれぞれ位置している。
【００４７】
ここで、第１遮蔽板１１１，１１２の後方に、第２遮蔽板１２１，１２２が対面配置されている。さらに、凸部ＰＬｂ１１１，ＰＲｂ１１１の前方に、ガイド板２１２の前縁部２１２ＵＦ，２１２ＵＦが位置している。凸部ＰＬｂ１１２，ＰＲｂ１１２の前方に、ガイド板２１２の前縁部２１２ＤＦ，２１２ＤＦが位置している。これにより、凸部ＰＬａ１１１，ＰＲａ１１１の中心軸まわりの第１遮蔽板１１１の回動、及び凸部ＰＬａ１１２，ＰＲａ１１２の中心軸まわりの第１遮蔽板１１２の回動が規制されている。
【００４８】
例えば、遊技機用シャッター装置１の全開状態（図１３参照）において、パチンコ機ＰＭの所定の遊技イベントが発生すると、遊技機用シャッター装置１は、以下説明するように、全閉状態に移行される。すなわち、直動装置２０Ｌ，２０Ｒの電動モーター２３が、図示しない制御装置により、同期するように正転駆動される。これにより、ラック２１３ａ，２１３ａが下降するとともに、ラック２１３ｃ，２１３ｃが上昇する。つまり、第１遮蔽板１１１及び第２遮蔽板１２１が下降するとともに、第１遮蔽板１１２及び第２遮蔽板１２２が上昇する。ここで、ピニオンギヤ２１３ｂの直径に比べて、ピニオンギヤ２２３ｂの直径が小さい。したがって、第１遮蔽板１１１の下降速度に比べて、第２遮蔽板１２１の下降速度が小さい（半分程度）。また、ピニオンギヤ２１３ｄの直径に比べて、ピニオンギヤ２２３ｄの直径が小さい。したがって、第１遮蔽板１１２の上昇速度に比べて、第２遮蔽板１２２の上昇速度が小さい（半分程度）。なお、ピニオンギヤ２１３ｂの直径に比べて、ピニオンギヤ２１３ｄの直径が僅かに小さい。したがって、第１遮蔽板１１１の下降速度に比べて、第１遮蔽板１１２の上昇速度が僅かに小さい。また、ピニオンギヤ２２３ｂの直径に比べて、ピニオンギヤ２２３ｄの直径が僅かに小さい。したがって、第２遮蔽板１２１の下降速度に比べて、第２遮蔽板１２２の上昇速度が僅かに小さい。
【００４９】
つぎに、第１遮蔽板１１１及び第２遮蔽板１２１の下降態様について説明する。上記のように、凸部ＰＬａ１１１，ＰＲａ１１１がラック２１３ａ，２１３ａの溝部ＧＰ２１３ａ，ＧＰ２１３ａにそれぞれ挿入されている。したがって、全開状態から、ラック２１３ａ，２１３ａが下降し始めることにより、第１遮蔽板１１１が下降し始める。その際、凸部ＰＬａ１１１，ＰＲａ１１１の基端部がスリットＳ２１２Ｕ，Ｓ２１２Ｕの直線部Ｓａ２１２，Ｓａ２１２にガイドされている。よって、第１遮蔽板１１１は、その下降過程の初期段階において、鉛直下方へ移動する。すなわち、この段階では、第１遮蔽板１１１は、前後方向には移動しない。なお、第２遮蔽板１２１も同時に下降し始めるが、上記のように、両者の下降速度が異なる。したがって、第１遮蔽板１１１と第２遮蔽板１２１の上下方向における位置がずれ、そのずれが徐々に大きくなる。
【００５０】
ラック２１３ａ，２１３ａがさらに下降すると、凸部ＰＬｂ１１１，ＰＲｂ１１１が溝部ＧＵ２１２Ｍの直線部Ｇａ２１２，Ｇａ２１２の上端に到達する。この段階では、凸部ＰＬａ１１１，ＰＲａ１１１は、未だ、スリットＳ２１２Ｕ，Ｓ２１２Ｕの直線部Ｓａ２１２，Ｓａ２１２の下端に到達していない。そのため、凸部ＰＬａ１１１，ＰＲａ１１１が、直線部Ｓａ２１２，Ｓａ２１２にガイドされるとともに、凸部ＰＬｂ１１１，ＰＲｂ１１１が直線部Ｇａ２１２，Ｇａ２１２にガイドされながら、第１遮蔽板１１１が、さらに鉛直下方へ移動する。凸部ＰＬａ１１１，ＰＲａ１１１が直線部Ｓａ２１２，Ｓａ２１２の下端に到達すると同時に、凸部ＰＬｂ１１１，ＰＲｂ１１１が直線部Ｇａ２１２，Ｇａ２１２の下端に到達する。この時点で、第１遮蔽板１１１の上端が、第２遮蔽板１２１の下端よりも少し下方に位置している（図１４参照）。
【００５１】
ラック２１３ａ，２１３ａがさらに下降すると、凸部ＰＬａ１１１，ＰＲａ１１１が、傾斜部Ｓｂ２１２，Ｓｂ２１２にガイドされるとともに、凸部ＰＬｂ１１１，ＰＲｂ１１１が傾斜部Ｇｂ２１２，Ｇｂ２１２にガイドされながら、第１遮蔽板１１１が、下方且つ後方へ斜めに移動する。その際、凸部ＰＬａ１１１，ＰＲａ１１１の先端部が、溝部ＧＰ２１３ａ，ＧＰ２１３ａの後端部側へ移動する。
【００５２】
ラック２１３ａ，２１３ａがさらに下降すると、凸部ＰＬａ１１１，ＰＲａ１１１が、傾斜部Ｓｂ２１２，Ｓｂ２１２の先端（下端（後端））に到達するとともに、凸部ＰＬｂ１１１，ＰＲｂ１１１が傾斜部Ｇｂ２１２，Ｇｂ２１２の先端（下端（後端））に到達する（図１５参照）。
【００５３】
一方、第２遮蔽板１２１は、その下降過程の全過程において、鉛直下方へ移動するだけであり、前後方向には移動しない。
【００５４】
また、第１遮蔽板１１２及び第２遮蔽板１２２の動作態様と、第１遮蔽板１１１及び第２遮蔽板１２１の動作態様は、略上下対称である。すなわち、第１遮蔽板１１２は、その上昇過程の初期段階において、鉛直上方へ移動する。第１遮蔽板１１２の下端が第２遮蔽板１２２の上端より少し上方に位置する時点から、第１遮蔽板１１２は上方且つ後方へ移動する。また、第２遮蔽板１２２は、その上昇過程の全過程において、鉛直上方へ移動するだけであり、前後方向には移動しない。
【００５５】
電動モーター２３の制御装置は、例えば、ラック２１３ａの上下方向における位置を監視している。制御装置は、ラック２１３ａの上下方向の位置に基づいて、凸部ＰＬａ１１１，ＰＲａ１１１が、傾斜部Ｓｂ２１２，Ｓｂ２１２の先端（下端（後端））に到達するとともに、凸部ＰＬｂ１１１，ＰＲｂ１１１が傾斜部Ｇｂ２１２，Ｇｂ２１２の先端（下端（後端））に到達したことを検出する。そして、制御装置は、電動モーター２３を停止させる。これにより、遊技機用シャッター装置１の全開状態から全閉状態への移行が完了する。
【００５６】
全閉状態では、第１遮蔽板１１１，１１２及び第２遮蔽板１２１，１２２が、表示装置ＤＤの前方にて上下方向に並んでおり、第１遮蔽板１１１，１１２及び第２遮蔽板１２１，１２２により、表示装置ＤＤの前面が覆われている。すなわち、前方から表示装置ＤＤの表示面を視認不能である。また、第１遮蔽板１１１，１１２及び第２遮蔽板１２１，１２２の前面が同一平面内に位置している。つまり、第１遮蔽板１１１，１１２及び第２遮蔽板１２１，１２２の境界部に段差は生じていない。また、第１遮蔽板１１１，１１２及び第２遮蔽板１２１，１２２の間に、空隙がほとんど生じていない。
【００５７】
上記のように、全開状態から全閉状態へ移行する過程において、第１遮蔽板１１１，１１２が、第２遮蔽板１２１と第２遮蔽板１２２との間にて後方へ引き込まれる。これにより、最終的に、全閉状態において、第１遮蔽板１１１，１１２及び第２遮蔽板１２１，１２２の前面が同一平面内に位置する。よって、本実施形態によれば、全閉状態における遮蔽板１０の外観品質が向上する。
【００５８】
さらに、全開状態から、第２遮蔽板１２１を、第１遮蔽板１１１よりも低速で下降させるとともに、第２遮蔽板１２２を、第１遮蔽板１１２よりも低速で上昇させている。これにより、後方へ引き込まれた第１遮蔽板１１１の上端に、第２遮蔽板１２１の下端が略当接し、且つ後方へ引き込まれた第１遮蔽板１１２の下端に、第２遮蔽板１２１の上端が略当接する。よって、全閉状態において、第１遮蔽板１１１と第２遮蔽板１２１との間の空隙（上下方向の隙間）、及び第１遮蔽板１１２と第２遮蔽板１２２との間の空隙（上下方向の隙間）がほとんど生じない。これによれば、全閉状態における遊技機用シャッター装置１の外観品質をさらに向上させることができる。
【００５９】
また、第１遮蔽板１１１，１１２が後方へ引き込まれる際、第１遮蔽板１１１，１１２と、第２遮蔽板１２１，１２２とが平行に保たれる。この動作態様を実現するために、例えば、凸部ＰＬａ１１１及び凸部ＰＬｂ１１１をそれぞれガイドするスリットＳ２１２Ｕ及び溝部ＧＵ２１２Ｍが設けられている。これらのスリットＳ２１２Ｕ及び溝部ＧＵ２１２Ｍは、上下方向及び左右方向にずれて設けられ、前後方向にはずれていない。これによれば、第１遮蔽板１１１の端面における上端部及び下端部をガイドするガイド機構を前後方向にずらして設けた場合に比べて、遊技機用シャッター装置１を小型化（薄型化）できる。
【００６０】
さらに、全開状態から、ラック２１３ａ，２１３ａを下降させるとともに、ラック２１３ｃ，２１３ｃを上昇させるだけで、その動作過程の終期において、第１遮蔽板１１１，１１２が傾斜部に沿って移動して後方へ引き込まれる。よって、本実施形態によれば、第１遮蔽板１１１を上下方向に移動させるアクチュエータと前後方向に移動させるアクチュエータとを別々に設けた場合に比べて、装置全体としての構成を簡略化できる。
【００６１】
さらに、本発明の実施にあたっては、上記実施形態に限定されるものではなく、本発明の目的を逸脱しない限りにおいて種々の変更が可能である。
【００６２】
例えば、第２遮蔽板１２１，１２２を省略してもよい。この場合、例えば、全閉状態において、第１遮蔽板１１１，１１２と遊技盤ＰＢとが同一平面内に位置するように構成するとよい。
【００６３】
また、上記実施形態では、全開状態において、第１遮蔽板１１１，１１２が、第２遮蔽板１２１，１２２の前方に重ねられるように配置されている。そして、第１遮蔽板１１１，１１２が斜め後方へ引き込まれて、第１遮蔽板１１１，１１２及び第２遮蔽板１２１，１２２の前面が同一平面内に位置するように構成されている。これに代えて、全開状態において、第１遮蔽板１１１，１１２が、第２遮蔽板１２１，１２２の後方に重ねられるように配置され、第１遮蔽板１１１，１１２が斜め前方へ押し出されて、第１遮蔽板１１１，１１２及び第２遮蔽板１２１，１２２の前面が同一平面内に位置するように構成されていてもよい。この場合、スリットＳ２１２Ｕの傾斜部Ｓｂ２１２及び溝部ＧＵ２１２Ｍの傾斜部Ｇｂ２１２を前方且つ下方へ斜めに延設し、スリットＳ２１２Ｄの傾斜部Ｓｂ２１２及び溝部ＧＤ２１２Ｍの傾斜部Ｇｂ２１２を前方且つ上方へ斜めに延設すればよい。
【００６４】
また、例えば、遊技機用シャッター装置１を、前後方向に延びる中心軸のまわりに９０°だけ回転させて配置してもよい。すなわち、第１遮蔽板１１，１１２及び第２遮蔽板１２１，１２２を左右方向に移動させてもよい。
【符号の説明】
【００６５】
１…遊技機用シャッター装置、１０…遮蔽板、１１…第１遮蔽板、２０…直動装置、２１…前側直動機構、２２…後側直動機構、２３…電動モーター、１１１…第１遮蔽板、１１２…第１遮蔽板、１２１…第２遮蔽板、１２２…第２遮蔽板、２１１…支持板、２１２…ガイド板、２１２ａ…第１ガイド部、２１２ｂ…第２ガイド部、２１３…スライド機構、２２１…支持板、２２２…ガイドシャフト、２２３…スライド機構、ＧＤ２１２Ｍ…溝部、ＧＵ２１２Ｍ…溝部、Ｇａ２１２…直線部、Ｇｂ２１２…傾斜部、ＰＬａ１１１…凸部、ＰＬａ１１２…凸部、ＰＬｂ１１１…凸部、ＰＬｂ１１２…凸部、ＰＭ…パチンコ機、Ｓ２１２Ｄ…スリット、Ｓ２１２Ｕ…スリット
【図１】
2020141969.tif 000003
【図２】
2020141969.tif 000004
【図３】
2020141969.tif 000005
【図４】
2020141969.tif 000006
【図５】
2020141969.tif 000007
【図６】
2020141969.tif 000008
【図７】
2020141969.tif 000009
【図８】
2020141969.tif 000010
【図９】
2020141969.tif 000011
【図１０】
2020141969.tif 000012
【図１１】
2020141969.tif 000013
【図１２】
2020141969.tif 000014
【図１３】
2020141969.tif 000015
【図１４】
2020141969.tif 000016
【図１５】
2020141969.tif 000017